【事件の表示】
　特許第３２４９４８９号「刈取機」の請求項１ないし５に係る特許に対する特許異議の申立てについて、次のとおり決定する。
【結　論】
　訂正を認める。
　特許第３２４９４８９号の請求項１ないし４に係る特許を取り消す。
　同請求項５に係る特許を維持する。
【理　由】
１．手続きの経緯
　特許第３２４９４８９号の請求項１ないし請求項５に係る発明についての出願は、平成１１年４月２６日に特許出願され、平成１３年１１月９日にその特許権の設定登録がなされ、その後、株式会社　共立　より特許異議の申立てがなされ、取り消しの理由が通知され、その指定期間内である平成１５年６月１６日に訂正請求がなされたものである。
２．訂正の適否についての判断
（１）訂正の内容
ア．訂正事項ａ
　特許請求の範囲の請求項１の記載を次のように訂正する。
　「【請求項１】　基端に原動部を有し、その先端方に長尺状のロッド部と、回転運動を往復運動に変換する衝撃発生部と、最先端方に切断刃を備えた動力式刈取機であって、
　上記ロッド部の離間した少なくとも二箇所に、刈り取り作業に際し作業者が手で把持するグリップ部を設けるとともに、基端側のグリップ部の先端側に隣接して原動部制御用のスロットルレバーを有するスロットルレバーユニットを配設し、該スロットルレバーユニットの取着部とグリップ部との間に、グリップ部より外径方に突出する鍔部が形成されており、該鍔部のグリップ側の形状が側面から見て筒状の基部から外径方へ延びる円弧部分と該円弧部分からさらに外径方へ延び外周を形成する円弧へつながる平面部を具備した鍔部を形成したことを特徴とする刈取機。」
イ．訂正事項ｂ
　特許請求の範囲の請求項５の記載を次のように訂正する。
　「【請求項５】　基端に原動部を有し、その先端方に長尺状のロッド部と、回転運動を往復運動に変換する衝撃発生部と、最先端方に切断刃を備えた動力式刈取機であって、
　上記ロッド部の離間した少なくとも二箇所に、刈り取り作業に際し作業者が手で把持するグリップ部を設けるとともに　基端側のグリップ部の先端側に隣接して原動部制御用のスロットルレバーを有するスロットルレバーユニットを配設し、該スロットルレバーユニットの取着部とグリップ部との間に、グリップ部より外径方に突出した鍔部を形成し、
　且つ、
　上記鍔部が、グリップ部と別体で構成されており、該鍔部がスロットルレバーユニットをロッド部に取着する取着手段によって共に取着されていることを特徴とする刈取機。」
（２）訂正の目的の適否、新規事項の有無、及び特許請求の範囲の拡張・変更の存否
　上記訂正事項ａは、請求項１において、「鍔部」について「側面から見て筒状の基部から外径方へ延びる円弧部分と該円弧部分からさらに外径方へ延び外周を形成する円弧へつながる平面部を具備した」と、「鍔部のグリップ側の形状」を限定するものであり、本件特許明細書の段落番号【００１９】に「円板部２Ｂの第１グリップ２２Ａ側の側面かさ見た形状は、筒状の基部２Ａから外径方へ延びる円弧部分２ｆと、該円弧部分２ｆからさらに外径方へ延び外周を形成する円弧へつながる平面部２ｇから、構成されている。」と記載されていた事項に基づくものであるから、上記訂正事項ａは、特許請求の範囲の減縮を目的とした明細書の訂正に該当し、新規事項の追加に該当せず、実質上特許請求の範囲を拡張し、又は変更するものではない。
　上記訂正事項ｂは、請求項５において、請求項１〜請求項４を択一的に引用する引用形式の請求項であったものを、訂正前の請求項１に記載した事項のみを、請求項５に付加記載して独立形式の請求項に変更したものであるから、特許請求の範囲の減縮を目的とした明細書の訂正に該当し、新規事項の追加に該当せず、実質上特許請求の範囲を拡張し、又は変更するものではない。
（３）むすび
　以上のとおりであって、上記訂正は、特許法第１２０条の４第２項及び同条第３項において準用する特許法第１２６条第２項から第４項までの規定に適合するので、この訂正を認める。
３．特許異議の申立てについての判断
（１）申立ての理由の概要
　特許異議申立人　株式会社　共立　は、
　甲第１号証：特公平２−１１２０９号公報
　甲第２号証：特開平１０−１８４３９９号公報
　甲第３号証：実願昭５０−１６２５３８号（実開昭５２−７４０４３号）のマイクロフイルム
　甲第４号証：特開平９−４９４４４号公報
を提出して、特許第３２４９４８９号の請求項１ないし請求項５に係る発明は、本件出願前に日本国内において頒布された刊行物に記載された発明に基いてその発明の属する技術の分野における通常の知識を有する者が容易に発明をすることができたものであるから、請求項１ないし請求項５に係る発明についての特許は特許法第２９条第２項の規定に違反してされたものでり、特許法第１１３条第２号に該当し、特許を取り消すべき旨主張している。
（２）請求項１ないし請求項５に係る発明
　本件特許第３２４９４８９号の請求項１ないし請求項５に係る発明は、訂正明細書の特許請求の範囲の請求項１ないし請求項５に記載された事項により特定される以下のとおりのものである。
　「【請求項１】　基端に原動部を有し、その先端方に長尺状のロッド部と、回転運動を往復運動に変換する衝撃発生部と、最先端方に切断刃を備えた動力式刈取機であって、
　上記ロッド部の離間した少なくとも二箇所に、刈り取り作業に際し作業者が手で把持するグリップ部を設けるとともに、基端側のグリップ部の先端側に隣接して原動部制御用のスロットルレバーを有するスロットルレバーユニットを配設し、該スロットルレバーユニットの取着部とグリップ部との間に、グリップ部より外径方に突出する鍔部が形成されており、該鍔部のグリップ側の形状が側面から見て筒状の基部から外径方へ延びる円弧部分と該円弧部分からさらに外径方へ延び外周を形成する円弧へつながる平面部を具備した鍔部を形成したことを特徴とする刈取機。
【請求項２】　前記鍔部及びそれに隣接するグリップ部の内周方に前記スロットルレバーと原動部を接続するスロットル操作用のケーブルが挿通されていることを特徴とする請求項１記載の刈取機。
【請求項３】　前記鍔部が弾性材料からなる成形品であることを特徴とする請求項１又は２記載の刈取機。
【請求項４】　前記スロットルレバーの自由端部が鍔部よりグリップ部側に突出した構成であることを特徴とする請求項１〜３のいずれか１の項に記載の刈取機。
【請求項５】　基端に原動部を有し、その先端方に長尺状のロッド部と、回転運動を往復運動に変換する衝撃発生部と、最先端方に切断刃を備えた動力式刈取機であって、
　上記ロッド部の離間した少なくとも二箇所に、刈り取り作業に際し作業者が手で把持するグリップ部を設けるとともに、基端側のグリップ部の先端側に隣接して原動部制御用のスロットルレバーを有するスロットルレバーユニットを配設し、該スロットルレバーユニットの取着部とグリップ部との間に、グリップ部より外径方に突出した鍔部を形成し、
　且つ、
　上記鍔部が、グリップ部と別体で構成されており、該鍔部がスロットルレバーユニットをロッド部に取着する取着手段によって共に取着されていることを特徴とする刈取機。」
（３）請求項１ないし請求項４に係る発明の特許について
Ａ．刊行物に記載の事項
　当審が通知した取消しの理由に引用された、
刊行物１：実願昭５３−２０１９７号（実開昭５４−１２３３６１号）のマイクロフイルム
刊行物２：特開平１０−１８４３９９号公報（甲第２号証）
には、それぞれ以下の事項が記載されている。
刊行物１
１−ア．「操作杆（１）の先端に伐採工具（２）を取付け、操作杆（１）の後端近傍一側位置に、作業者の前腕基部を拘束すると共に該前腕にて支持される前腕基部支持具（４）を設け、且つ前記伐採工具（２）を工具駆動装置（５）内で高速往復動する打撃子（６）にて撃打せしめ得るようにしたことを特徴とする携帯用伐採装置。」（実用新案登録請求の範囲）
１−イ．「本考案は主としてアバカ、カナリーヤシ、ソテツ等の熱帯植物の葉、果実等の伐採に使用する装置に関する。」（第１頁第１３〜１５行。）
１−ウ．「中空管より成り相当長寸の操作杆（１）の先端に伐採工具駆動装置（５）を設け、これに伐採工具（２）をセットすると共に、操作杆（１）の後端に原動機（３）を取付け、操作杆（１）に通挿した伝動軸（７）を介して原動機（３）の駆動力を前方に伝え、前記駆動装置（５）及び伐採工具（２）を作動させる。
　前記駆動装置（５）は第２図に示すように、原動機（３）の回転を受けて回転する円板クランク（８）を内装し、この円板クランク（８）の回転を連杆（９）を介してピストン（打撃子）（６）に伝え、これをシリンダー（１０）内に往復動せしめる。又伐採工具（２）の柄部（１１）に鍔（１２）を形成する一方、シリンダー（１０）の先端壁（１３）及び隔壁（１４）の夫々に伐採工具柄部挿通孔（１５）（１６）を穿設し、これらに伐採工具柄部（１１）を通挿する。この際柄部（１１）の頂面（１７）が隔壁（１４）よりピストン側に突出し、又前記鍔（１２）が先端壁（１３）と隔壁（１４）の中間に位置するよう伐採工具（２）を配してある。又鍔（１２）と先端壁（１３）間に圧縮バネ（１８）を介装し、鍔（１２）延いては伐採工具（２）に後退方向の復帰弾力を作用させる。
　而して、原動機（３）の駆動力により円板クランク（８）を高速回転させ、打撃子（６）をシリンダー（１０）内に往復動させることにより、間欠的に伐採工具柄部（１１）の頂面（１７）を撃打してこれを高速前進させる一方、圧縮バネ（１８）の復帰弾力により伐採工具（２）を後退させ、前記撃打タイミングを適宜調整して伐採工具（２）を連続的に往復動せしめて、カナリーヤシの肉厚葉、含脂果実等の被伐採物（ｇ）を伐採する。」（第２頁第１８行〜第４頁第６行。）
１−エ．「原動機（３）には右側前方に若干の長さ延出せる取付板（１９）を取着し、該取付板（１９）の先端部に作業者の右前腕基部を拘束すると共に該前腕にて支持される断面逆Ｕ字形の前腕基部支持具（４）を前後揺動可能に枢支する。この支持具（４）の前方には右手で把持される右握杆（２０）を、更にその前方には左手で把持される左握杆（２１）を夫々配設し、且つこれらを操作杆（１）に前後移行可能且つロック可能に取付ける。」（第４頁第１２〜２０行。）
刊行物２
２−ア．「【発明の属する技術分野】本発明は、ヘッジトリマーや刈払機等の作業機のハンドレバー装置に係り、特に、前記作業機のハンドル部に配設されるハンドレバー装置のグリップ部の構造に関する。」（第１欄第３２〜３５行。）
２−イ．「【発明の実施の形態】以下、本発明の一実施の形態を図面を参照しながら説明する。図１は、本実施形態のハンドレバー装置が装着された刈払機の一例を示す斜視図である。図示例の刈払機１は、所定間隔を置いて前グリップ部１２と後グリップ部１１とが並設された筒状のバーハンドル（操作桿）７を備え、該バーハンドル７の先端側に刈刃１３や安全カバー１４等からなる作業部３を設け、後端側には、前記刈刃１３を前記バーハンドル７に内挿されたドライブシャフト７１を介して駆動する動力源としての、リコイルスタータ６や燃料タンク４が付設された内燃機関（小型空冷２サイクルガソリンエンジン）２を配備しており、該内燃機関２にスロットル弁ＣＶを有する気化器（図示省略）や点火プラグ５が備えられている。
【００１８】本実施形態では、前記スロットル弁ＣＶが、常時最小（アイドル回転）開度方向に付勢されていて、それに接続されている後述するスロットルケーブル１７が非操作状態から所定長以上引っ張られたときに遊びが無くされて前記最小開度から開き始めるようにされている。
【００１９】そして、前記二つのグリップ部１１、１２の内、通常は右手で握る後側の後グリップ部１１は、本実施形態のハンドレバー装置１０の構成要素を成すものであり、該後グリップ部１１は操作時、前記ハンドレバー装置１０と一体となって、前記スロットルケーブル１７を介して前記スロットル弁ＣＶの開度を調整する役目をするべく配置されている。」（第４欄第４〜３０行。）
２−ウ．「【００２０】前記ハンドレバー装置１０は、図２にその外観が示されている如く、前記後グリップ部１１の前端側において前記ハンドル７に外嵌固定されたケース部材２０を有し、該ケース部材２０には、メインレバー３０が回動可能に保持され、該メインレバー３０は前記スロットル弁ＣＶに連結された制御用線体としてのボーデンケーブル１５のアウターチューブ１６に挿通された前記スロットルケーブル１７を引っ張る役目をし、かつ、操作部３１を有している。また、前記ケース部材２０の上面中央部には、前記内燃機関２の点火プラグ５の点火回路を短絡して前記内燃機関２を停止させるためのスライド式停止スイッチ５０が装着されている。」（第４欄第３１〜４２行。）
２−エ．「【００２１】前記後グリップ部１１は、弾性合成ゴムもしくは弾性のある合成樹脂等で一体成形され、図３の横断面図に示されているように、つぶれ防止用の補強筒１１ｅをインサートした中空の筒状体をしており、前記ハンドル７をその中空部に嵌挿し、前後の両端部１１ａ、１１ｂを含む内周面で前記ハンドル７にスプリングバンド１１ｆで弾性的に保持されている。前記後グリップ部１１は、その中央下部に長手（前後）方向に沿って膨出部１１ｃを有し、該膨出部１１ｃ内に、前後方向に貫通する貫通孔１９を備えている。該貫通孔１９は、図３に示すように、その断面形状が、眼鏡状に形成されており、左右の二つの円形部分１９ａ、１９ｂと該二つの円形部分１９ａ、１９ｂを連絡する中央溝部分１９ｃからなっている。
【００２２】前記後グリップ部１１の前記膨出部１１ｃは、前記貫通孔１９の中央溝部分１９ｃの下部の外部形状が該中央溝部分１９ｃ側に凹入した形状とされており、該凹入形状部がレバー受け部１１ｄとなっている。該レバー受け部１１ｄは、前記メインレバー３０を回動操作して前記操作部３１を前記後グリップ部１１に接触させたとき、前記操作部３１が嵌入するようになっている。」（第４欄第４３行〜第５欄第１４行。）
２−オ．「【００２３】前記内燃機関２から導かれる制御用線体としての前記ボーデンケーブル１５と前記停止スイッチ５０に接続される導電コード１８とは、前記貫通孔１９の左右の円形部分１９ａ、１９ｂ内にそれぞれ挿通され、その後、前記ハンドレバー装置１０の前記ケース部材２０に導かれ、前記ボーデンケーブル１５の前記アウターチューブ１６は、前記ケース部材２０に係止されると共に、前記アウターチューブ１６内の前記スロットルケーブル１７は、前記ケース部材２０内の前記メーンレバー３０に連結される。また、前記導電コード１８は、前記ケース部材２０内に導かれて前記スライド式停止スイッチ５０の接続端子に接続される。」（第５欄第１５〜２６行。）
Ｂ．請求項１に係る発明について
　「１−ア．」〜「１−エ．」の摘記事項及び第１図〜第４図から判断して、刊行物１には、「相当長寸の操作杆（１）の先端に伐採工具駆動装置（５）を設け、これに伐採工具（２）をセットすると共に、操作杆（１）の後端に原動機（３）を取付けてなる携帯用伐採装置であって、前記駆動装置（５）は、原動機（３）の回転を受けて回転する円板クランク（８）を内装し、この円板クランク（８）の回転を連杆（９）を介してピストン（打撃子）（６）に伝え、これをシリンダー（１０）内に往復動させることにより、セットした伐採工具（２）をも連続的に往復動せしめ、前記操作杆（１）には右手で把持される右握杆（２０）を、更にその前方には左手で把持される左握杆（２１）を夫々配設してなる携帯用伐採装置。」が記載されている。そして、第１図及び第２図より、伐採工具（２）は伐採刃であることが把握される。
　そこで、請求項１に記載された発明（以下、本件発明１という。）と、刊行物１に記載されたものを対比すると、本件発明１は、「地上の木の実や枝葉等を切断して刈り取る動力式の携帯型刈取機、特に油椰子の実を刈り取るのに好適な動力式の携帯型刈取機」（【０００１】参照。）に関するものであり、刊行物１に記載されたものは、「主としてアバカ、カナリーヤシ、ソテツ等の熱帯植物の葉、果実等の伐採に使用する装置」（「１−イ．」参照。）に関するものであるから、両者は、農業用携帯型刈取機として共通している。そして、刊行物１に記載されたものの、「原動機（３）」、「操作杆（１）」、「伐採工具駆動装置（５）」、及び「伐採工具（２）」は、それぞれ本件発明１の、「原動部」、「ロッド部」、「衝撃発生部」、及び「切断刃」に相当し、刊行物１に記載されたものの「右握杆（２０）」と「左握杆（２１）」のそれぞれが、本件発明１の「グリップ部」に対応し、刊行物１に記載されたものの「右握杆（２０）」が、本件発明１の「基端側のグリップ部」に相当するから、本件発明１と、刊行物１に記載されたものとは、
「基端に原動部を有し、その先端方に長尺状のロッド部と、回転運動を往復運動に変換する衝撃発生部と、最先端方に切断刃を備えた動力式刈取機であって、上記ロッド部の離間した二箇所に、刈り取り作業に際し作業者が手で把持するグリップ部を設けた刈取機。」の点で一致し、下記１の点で相違する。
相違点１
　本件発明１が、「基端側のグリップ部の先端側に隣接して原動部制御用のスロットルレバーを有するスロットルレバーユニットを配設し、該スロットルレバーユニットの取着部とグリップ部との間に、グリップ部より外径方に突出する鍔部が形成されており、該鍔部のグリップ側の形状が側面から見て筒状の基部から外径方へ延びる円弧部分と該円弧部分からさらに外径方へ延び外周を形成する円弧へつながる平面部を具備した鍔部を形成した」のに対し、刊行物１に記載されたものは、「原動部制御用部品が右握杆（２０）の先端側に隣接しては無く、且つ右握杆（２０）の先端側に隣接して原動部制御用部品が有るとした場合、原動部制御用部品と右握杆（２０）との間にあるとする右握杆（２０）より外径方に突出した鍔部もまた存在しない」点。
　以下、上記相違点１について検討する。
　刊行物２には、「所定間隔を置いて前グリップ部１２と後グリップ部１１とが並設された筒状のバーハンドル（操作桿）７の先端側に刈刃１３や安全カバー１４等からなる作業部３を設け、後端側には、前記刈刃１３を駆動する動力源としての内燃機関２を配備しており、前記二つのグリップ部１１、１２の内、通常は右手で握る後側の後グリップ部１１の前端側において前記ハンドル７に外嵌固定されたケース部材２０を有し、該ケース部材２０には、メインレバー３０が回動可能に保持され、該メインレバー３０はスロットル弁ＣＶに連結された制御用線体としてのボーデンケーブル１５のアウターチューブ１６に挿通されたスロットルケーブル１７を引っ張り前記スロットル弁ＣＶの開度を調整する役目をする、ヘッジトリマーや刈払機等の作業機のハンドレバー装置。」（「２−ア．」及び「２−イ．」参照。）について記載されており、また、刊行物２の図２を見て、「後グリップ部１１前後の両端部１１ａ、１１ｂは径方向に膨出し、膨出部を形成しており、該膨出部のグリップ側の形状が側面から見て筒状の基部から外径方に延びる円弧部分を外周を形成する円弧へつなげたものである」ことが把握される。刊行物２に記載されたもののハンドレバー装置もヘッジトリマーや刈払機等の作業機におけるものである（「２−ア．」参照。）から、対象物は農業用携帯型作業機として、本件発明１及び刊行物１に記載されたものと共通している。そして、刊行物２に記載されたものの、「バーハンドル（操作桿）７」、「後グリップ部１１」、及び「内燃機関２」は、それぞれ刊行物１に記載されたものの、「操作杆（１）」、「右握杆（２０）」、及び「原動機（３）」に相当し、また、刊行物２に記載されたものの、「メインレバー３０」、「後グリップ部１１」、及び「後グリップ部１１の前端部１１ａの径方向に膨出した膨出部」は、それぞれ本件発明１の、「スロットルレバー」、「基端側のグリップ部」、及び「鍔部」に相当し、刊行物２に記載されたものの「ケース部材２０」と「メインレバー３０」からなるものが、本件発明１の「スロットルレバーユニット」に対応するから、本件発明１が、
“「基端側のグリップ部の先端側に隣接して原動部制御用のスロットルレバーを有するスロットルレバーユニットを配設し、該スロットルレバーユニットの取着部とグリップ部との間に、グリップ部より外径方に突出する鍔部が形成されており、該鍔部のグリップ側の形状が側面から見て筒状の基部から外径方へ延びる円弧部分と該円弧部分からさらに外径方へ延び外周を形成する円弧へつながる平面部を具備した鍔部を形成した」”（「相違点１に係る本件発明１の構成」）
点は、刊行物２に記載されたものの、
“「右手で握る後側の後グリップ部１１の前端側においてハンドル７に外嵌固定されたケース部材２０を有し、該ケース部材２０には、メインレバー３０が回動可能に保持され、後グリップ部１１の前端部１１ａは径方向に膨出し、膨出部を形成しており、該膨出部のグリップ側の形状が側面から見て筒状の基部から外径方に延びる円弧部分を外周を形成する円弧へつなげたものである」”（「相違点１に係る刊行物２に記載されたものの構成」）
構成を、刊行物１に記載されたものの、
「右手で把持される右握杆（２０）及び右手で把持される右握杆（２０）の先端側に位置する部分」
の構成として採用するとともに、膨出部のグリップ側の形状を周知の膨出部のグリップ側の形状（例えば、実公昭６２−３７６６１号公報、特開平４−２６９１０６号公報参照。）に倣い「側面から見て筒状の基部から外径方へ延びる円弧部分と該円弧部分からさらに外径方へ延び外周を形成する円弧へつながる平面部を具備した」ものに改変することにより、当業者が容易に想起し得たものである。そして、相違点１により、本件発明１が予期しない格別の作用効果を奏するものではない。
　したがって、請求項１に係る発明は、刊行物１及び刊行物２に記載された発明並びに周知技術に基づいて当業者が容易に発明をすることができたものであるから、請求項１に係る発明の特許は特許法第２９条第２項の規定に違反してなされたものである。
Ｃ．請求項２に係る発明について
　請求項２に係る発明（以下、本件発明２という。）は、本件発明１に、「鍔部及びそれに隣接するグリップ部の内周方にスロットルレバーと原動部を接続するスロットル操作用のケーブルが挿通されている」構成を付加したものである。
　そこで、本件発明２と、刊行物１に記載されたものを対比すると、「（１）請求項１に係る発明について」で示した一致点で一致するとともに、下記２の点で相違する。
相違点２
　相違点１に加えて、本件発明２が、「鍔部及びそれに隣接するグリップ部の内周方にスロットルレバーと原動部を接続するスロットル操作用のケーブルが挿通されている」のに対し、刊行物１に記載されたものは、「右握杆（２０）の内周方にスロットルレバーと原動部を接続するスロットル操作用のケーブルが挿通されてはいない」点。
　以下、上記相違点２について検討する。
　刊行物２には、「後グリップ部１１は、その中央下部に長手（前後）方向に沿って膨出部１１ｃを有し、該膨出部１１ｃ内に、前後方向に貫通する貫通孔１９を備え、内燃機関２から導かれる制御用線体としてのボーデンケーブル１５が、前記貫通孔１９内に挿通され、その後、ハンドレバー装置１０のケース部材２０に導かれ、前記ボーデンケーブル１５のアウターチューブ１６は、前記ケース部材２０に係止されると共に、前記アウターチューブ１６内のスロットルケーブル１７は、前記ケース部材２０内のメーンレバー３０に連結される」（「２−エ．」及び「２−オ．」参照。）ことが記載されている。そしてこの把握を含む刊行物２に記載されたものの「ボーデンケーブル１５」は、本件発明２の「スロットル操作用のケーブル」に相当するから、本件発明２が、
“「相違点１に係る本件発明１の構成」に加え、「鍔部及びそれに隣接するグリップ部の内周方にスロットルレバーと原動部を接続するスロットル操作用のケーブルが挿通されている」”（「相違点２に係る本件発明２の構成」）
点は、刊行物２に記載されたものの、
“「相違点１に係る刊行物２に記載されたものの構成」に加え、「内燃機関２から導かれる制御用線体としてのボーデンケーブル１５を、後グリップ部１１に挿通し、前記ボーデンケーブル１５のアウターチューブ１６を、ケース部材２０に係止すると共に、前記アウターチューブ１６内のスロットルケーブル１７をメーンレバー３０に連結した」”（「相違点２に係る刊行物２に記載されたものの構成」）
構成を、刊行物１に記載されたものの、
「右手で把持される右握杆（２０）及び右手で把持される右握杆（２０）の先端側に位置する部分」
の構成として、採用するとともに、膨出部のグリップ側の形状（「相違点１に係る刊行物２に記載されたものの構成」参照。）を周知の膨出部のグリップ側の形状（例えば、実公昭６２−３７６６１号公報、特開平４−２６９１０６号公報参照。）に倣い「側面から見て筒状の基部から外径方へ延びる円弧部分と該円弧部分からさらに外径方へ延び外周を形成する円弧へつながる平面部を具備した」ものに改変することにより、当業者が容易に想起し得たものである。そして、相違点２により、本件発明２が予期しない格別の作用効果を奏するものではない。
　したがって、請求項２に係る発明は、刊行物１及び刊行物２に記載された発明並びに周知技術に基づいて当業者が容易に発明をすることができたものであるから、請求項２に係る発明の特許は特許法第２９条第２項の規定に違反してなされたものである。
Ｄ．請求項３に係る発明について
　請求項３に係る発明（以下、本件発明３という。）は、本件発明１又は本件発明２に「鍔部が弾性材料からなる成形品である」構成を付加したものである。
　そこで、本件発明３と、刊行物１に記載されたものを対比すると、「（１）請求項１に係る発明について」で示した一致点で一致するとともに、下記３の点で相違する。
相違点３
　相違点１又は相違点２に加え、本件発明３が、「鍔部が弾性材料からなる成形品である」としているのに対し、刊行物１に記載されたものは、「鍔部の材質規定もまた存在しない」点。
　以下、上記相違点３について検討する。
　刊行物２には、「後グリップ部１１は、弾性合成ゴムもしくは弾性のある合成樹脂等で一体成形され」（「２−エ．」参照。）ることが記載されている。そしてこの把握を含む刊行物２に記載されたものの「後グリップ部１１の前端部１１ａの径方向に膨出した膨出部」が本件発明３の「鍔部」に相当し、「後グリップ部１１の前端部１１ａの径方向に膨出した膨出部」は「後グリップ部１１」の一部であるから「後グリップ部１１」が「弾性合成ゴムもしくは弾性のある合成樹脂等で一体成形され」ている以上、「後グリップ部１１の前端部１１ａの径方向に膨出した膨出部」もまた「弾性合成ゴムもしくは弾性のある合成樹脂等で一体成形され」ている。そうすると、本件発明３が、
“「相違点１に係る本件発明１の構成」又は「相違点２に係る本件発明２の構成」に加え、「鍔部が弾性材料からなる成形品である」とした”（「相違点３に係る本件発明３の構成」）
点は、刊行物２に記載されたものの、
“「相違点１に係る刊行物２に記載されたものの構成」又は「相違点２に係る刊行物２に記載されたものの構成」に加え、「後グリップ部１１の前端部１１ａの径方向に膨出した膨出部を弾性合成ゴムもしくは弾性のある合成樹脂等で一体成形した」”（「相違点３に係る刊行物２に記載されたものの構成」）
構成を、刊行物１に記載されたものの、
「右手で把持される右握杆（２０）及び右手で把持される右握杆（２０）の先端側に位置する部分」
の構成として、採用するとともに、膨出部のグリップ側の形状（「相違点１に係る刊行物２に記載されたものの構成」参照。）を周知の膨出部のグリップ側の形状（例えば、実公昭６２−３７６６１号公報、特開平４−２６９１０６号公報参照。）に倣い「側面から見て筒状の基部から外径方へ延びる円弧部分と該円弧部分からさらに外径方へ延び外周を形成する円弧へつながる平面部を具備した」ものに改変することにより、当業者が容易に想起し得たものである。そして、相違点３により、本件発明３が予期しない格別の作用効果を奏するものではない。
　したがって、請求項３に係る発明は、刊行物１及び刊行物２に記載された発明並びに周知技術に基づいて当業者が容易に発明をすることができたものであるから、請求項３に係る発明の特許は特許法第２９条第２項の規定に違反してなされたものである。
Ｅ．請求項４に係る発明について
　請求項４に係る発明（以下、本件発明４という。）は、本件発明１、本件発明２又は本件発明３に「スロットルレバーの自由端部が鍔部よりグリップ部側に突出した構成である」構成を付加したものである。
　そこで、本件発明４と、刊行物１に記載されたものを対比すると、「（１）請求項１に係る発明について」で示した一致点で一致するとともに、下記４の点で相違する。
相違点４
　相違点１、相違点２、又は相違点３に加え、本件発明４が、「スロットルレバーの自由端部が鍔部よりグリップ部側に突出した構成である」としているのに対し、刊行物１に記載されたものは、「スロットルレバーの自由端部と鍔部の関係規定も存在しない」点。
　以下、上記相違点４について検討する。
　刊行物２の図２を見て、「メインレバー３０の自由端部が後グリップ部１１の前端部１１ａの径方向に膨出した膨出部より後グリップ部１１側に突出した構成である」ことが把握される。そしてこの把握を含む刊行物２に記載されたものの、「メインレバー３０」、「後グリップ部１１」、及び「後グリップ部１１の前端部１１ａの径方向に膨出した膨出部」は、それぞれ本件発明４の、「スロットルレバー」、「基端側のグリップ部」、及び「鍔部」に相当するから、本件発明４が、
“「相違点１に係る本件発明１の構成」、「相違点２に係る本件発明２の構成」、又は「相違点３に係る本件発明３の構成」に加え、「スロットルレバーの自由端部が鍔部よりグリップ部側に突出した構成である」とした”（「相違点４に係る本件発明４の構成」）
点は、刊行物２に記載されたものの、
“「相違点１に係る刊行物２に記載されたものの構成」、「相違点２に係る刊行物２に記載されたものの構成」、又は「相違点３に係る刊行物２に記載されたものの構成」に加え、「メインレバー３０の自由端部が後グリップ部１１の前端部１１ａの径方向に膨出した膨出部より後グリップ部１１側に突出した」”（「相違点４に係る刊行物２に記載されたものの構成」）
構成を、刊行物１に記載されたものの、
「右手で把持される右握杆（２０）及び右手で把持される右握杆（２０）の先端側に位置する部分」
の構成として、採用するとともに、膨出部のグリップ側の形状（「相違点１に係る刊行物２に記載されたものの構成」参照。）を周知の膨出部のグリップ側の形状（例えば、実公昭６２−３７６６１号公報、特開平４−２６９１０６号公報参照。）に倣い「側面から見て筒状の基部から外径方へ延びる円弧部分と該円弧部分からさらに外径方へ延び外周を形成する円弧へつながる平面部を具備した」ものに改変することにより、当業者が容易に想起し得たものである。そして、相違点４により、本件発明４が予期しない格別の作用効果を奏するものではない。
　したがって、請求項４に係る発明は、刊行物１及び刊行物２に記載された発明並びに周知技術に基づいて当業者が容易に発明をすることができたものであるから、請求項４に係る発明の特許は特許法第２９条第２項の規定に違反してなされたものである。
（４）請求項５に係る発明の特許について
　特許異議申立人　株式会社　共立　が提出した刊行物、
　甲第１号証：特公平２−１１２０９号公報
　甲第２号証：特開平１０−１８４３９９号公報
　甲第３号証：実願昭５０−１６２５３８号（実開昭５２−７４０４３号）のマイクロフイルム
　甲第４号証：特開平９−４９４４４号公報
には、請求項５に係る発明（以下本件発明５という。）の構成要件の一部である、「（基端側のグリップ部の先端側に隣接して原動部制御用のスロットルレバーを有するスロットルレバーユニットを配設し、該スロットルレバーユニットの取着部とグリップ部との間に、グリップ部より外径方に突出した鍔部を形成し、
　且つ、
　上記）鍔部が、グリップ部と別体で構成されており、該鍔部がスロットルレバーユニットをロッド部に取着する取着手段によって共に取着されている」点について記載も示唆もされていない。そして、この点が、当業者にとって容易に想起し得たとする根拠も見あたらない。そうすると、本件発明５は、上記各刊行物に記載された発明に基づいて当業者が容易に発明をすることができたものではない。したがって、本件発明５の特許は、特許異議申立ての理由及び証拠によっては取り消すことができない。
　この点につき、特許異議申立人　株式会社　共立　は、甲第３号証（実願昭５０−１６２５３８号（実開昭５２−７４０４３号）のマイクロフイルム）の「更に第７図はグリップのゴム部分の先端にナット（９）を内挿し、金属又は硬質プラスチックス製の湾曲円板からなるプロテクター（６）をネジ（１０）によつて締付け固定したものである。」（第３頁第９〜１２行。）なる記載及び第７図、並びに、甲第４号証（特開平９−４９４４４号公報）の「【００１６】そして、前記一対のグリップ部１１，１２において、通常作業時に右手で握る後方のグリップ部１１の前端近傍の前記バーハンドル７にハンドレバー装置２０が取付けられている。図２と図３は、前記ハンドレバー装置２０を拡大して示したものである。該ハンドレバー装置２０は、前記バーハンドル７に薄くて縦に長い箱形のケース２１が一体的に取付けられ、該ケース２１内に前記スロットル弁１０からのスロットルケーブル８を挿通したアウターチューブ９が引き回される。また、前記ケース２１は、回動操作により前記スロットルケーブル８を引張って前記スロットル弁１０を開く操作レバーとしてのメインレバー４０、更にスイングアーム３５とサブレバー４５を備え、前記メインレバー４０によるケーブル引張り量を変化せしめて前記スロットル弁１０の開度を任意に調節する、前記メインレバー４０の回動軸心位置調節機構Ｔを設けてなる。」（【００１６】）なる記載及び図２をもって、「鍔部が、グリップ部と別体で構成されており、該鍔部がスロットルレバーユニットをロッド部に取着する取着手段によって共に取着されている」ことが記載されていると主張している。
　しかしながら、甲第３号証の記載事項は、「プロテクター（６）」（本件発明５の「鍔部２」に相当。）を「第２グリップ（５）」（本件発明５の「第１グリップ部２２Ａ」に相当。）に「ネジ（１０）」で締め付け固定するものであって、本件発明５のように「鍔部をスロットルレバーユニットをロッド部に取着する取着手段によって共に取着」するものではない。
　また、甲第４号証に記載の事項は、「後方のグリップ部１１」（本件発明５の「第１グリップ部２２Ａ」に相当。）の前端近傍の「バーハンドル７」（本件発明５の「ロッド部２２」に相当。）に「ハンドレバー装置２０」（本件発明５の「スロットルレバーユニット２８」に相当。）を取り付けるものであって、「ハンドレバー装置２０」と共に取着すべき「鍔部」は無く、「ハンドレバー装置２０」自体は「鍔部」ではない。
　したがって、これらの主張は採用できない。
（５）むすび
　以上のとおりであって、請求項１ないし請求項４に係る発明は、特許法第２９条第２項の規定に違反してされたものであるから、特許法第１１３条第２号に該当し、取り消されるべきものである。
　また、請求項５に係る発明の特許については、取消しの理由を発見しない。
　よって、結論のとおり決定する。
【異議決定日】
平成１５年８月８日（２００３．８．８）
【訂正の要旨】
審決（決定）の【理由】欄参照。
（５４）【発明の名称】
刈取機
（５７）【特許請求の範囲】
　【請求項１】　基端に原動部を有し、その先端方に長尺状のロッド部と、回転運動を往復運動に変換する衝撃発生部と、最先端方に切断刃を備えた動力式刈取機であって、
　上記ロッド部の離間した少なくとも二箇所に、刈り取り作業に際し作業者が手で把持するグリップ部を設けるとともに、基端側のグリップ部の先端側に隣接して原動部制御用のスロットルレバーを有するスロットルレバーユニットを配設し、該スロットルレバーユニットの取着部とグリップ部との間に、グリップ部より外径方に突出する鍔部が形成
されており、該鍔部のグリップ側の形状が側面から見て筒状の基部から外径方へ延びる円弧部分と該円弧部分からさらに外径方へ延び外周を形成する円弧へつながる平面部を具備した
　【請求項２】　前記鍔部及びそれに隣接するグリップ部の内周方に前記スロットルレバーと原動部を接続するスロットル操作用のケーブルが挿通されていることを特徴とする請求項１記載の刈取機。
　【請求項３】　前記鍔部が弾性材料からなる成形品であることを特徴とする請求項１又は２記載の刈取機。
　【請求項４】　前記スロットルレバーの自由端部が鍔部よりグリップ部側に突出した構成であることを特徴とする請求項１〜３のいずれか１の項に記載の刈取機。
　【請求項５】　
基端に原動部を有し、その先端方に長尺状のロッド部と、回転運動を往復運動に変換する衝撃発生部と、最先端方に切断刃を備えた動力式刈取機であって、
　
上記ロッド部の離間した少なくとも二箇所に、刈り取り作業に際し作業者が手で把持するグリップ部を設けるとともに、基端側のグリップ部の先端側に隣接して原動部制御用のスロットルレバーを有するスロットルレバーユニットを配設し、該スロットルレバーユニットの取着部とグリップ部との間に、グリップ部より外径方に突出した鍔部を形成し、
　
且つ、
　
上記
る刈
【発明の詳細な説明】
　【０００１】
　【産業上の利用分野】
　本発明は、地上の木の実や枝葉等を切断して刈り取る動力式の携帯型刈取機、特に油椰子の実を刈り取るのに好適な動力式の携帯型刈取機に関する。
　【０００２】
　【従来の技術および発明が解決しようとする課題】
　木の実の一種である油椰子の実は、東南アジア等において地上２〜３．５ｍの油椰子の木に成っており、この実は、従来、専ら先端にひらノミ式の切断刃を有しその後端に無垢（中実）あるいは肉厚の丸棒からなる竿が取りつけられた刈取道具を用いて、油椰子の実の根本に切断刃を前方に向かって押すようにして、木から刈り取っていた。しかしながら、上記刈り取り作業は、切断刃に対して直交する方向に延びる椰子の強靱な繊維を切断しなければならないことから、切断刃を何度も前方に向かって突き切る動作が必要となる。しかも、この刈取道具が重量的にも重たく、かなりの体力を必要とする作業であった。
　【０００３】
　このような現況に鑑み、本出願人は、エンジン等の動力で切断刃が前後に往復駆動される動力式の刈取機を提供しようと試みた。（関連技術として特開平７−１６４３１号公報参照）。
そこで、油椰子が植えられている東南アジア等の状況を踏まえ、また試作品を現地で試用しながら、最適な刈取機を開発した。
つまり、油椰子の実は、上述のように地上２〜３．５ｍの油椰子の木に成っていることから、動力式の刈取機の場合にも、エンジン等から構成される原動部から切断刃までの間に、該切断刃が所定高さまで届くように最適な長さ、例えば２〜３ｍの長さのロッド部が設けられる必要がある。
そして、切断する際には、上記ロッド部の互いに離れて設けられた各グリップ部を左右のそれぞれの手で持つことによって該刈取機を保持し、先端の切断刃を椰子の実の根本に位置させるような使用態様になる。
　【０００４】
　本発明は、このような使用態様となる刈取機において、安定して刈取機を保持して原動部を操作できるような刈取機を提供することを目的とする。
　【０００５】
　【課題を解決するための手段】
　本発明にかかる刈取機は、基端に原動部を有し、その先端方に長尺状のロッド部と、回転運動を往復運動に変換する衝撃発生部と、最先端方に切断刃を備えた動力式刈取機であって、
　上記ロッド部の離間した少なくとも二箇所に、刈り取り作業に際し作業者が手で把持するグリップ部を設けるとともに、基端側のグリップ部の先端側に隣接して原動部制御用のスロットルレバーを有するスロットルレバーユニットを配設し、該スロットルレバーユニットの取着部とグリップ部との間に、グリップ部より外径方に突出した鍔部を形成したことを特徴とする。
　【０００６】
　しかして、このように構成された刈取機によると、グリップ部を持って刈取機を保持し、先端の切断刃で木の実等の対象物を刈り取る際には、グリップ部の先端方の鍔部に手の側面が当接した状態で対象物に向かって押し出すことができるため、この対象物に向かって（先端側に向かって）刈取機を力を入れて強く押し付けることができる。また、この際、手がすべって指の側部が、スロットルレバーユニット側に直接当接することなく鍔部に当接するため、指がスロットルレバーユニット側の凹凸部に当接して痛みを感じるようなことがない。
　【０００７】
　また、上記鍔部及びそれに隣接するグリップ部の内周方にスロットルレバーと原動部を接続するスロットル操作用のケーブルが挿通されていると、手とケーブルが干渉することなく扱い易い。さらに、外観的にもケーブルが外部に露出することがないため、シンプルな印象を醸し出す。
　【０００８】
　さらに、上記鍔部が弾性材料からなる成形品であると、鍔に当たる指の側部への当接感が良く、好ましい実施形態となる。
　【０００９】
　また、上記スロットルレバーの自由端部が鍔部よりグリップ部側に突出した構成であると、グリップ部を握っている指（例えば人指し指）でのスロットルレバーの操作が簡単に行える構成となる。
　【００１０】
　さらに、上記鍔部が、グリップ部と別体で構成されており、該鍔部がスロットルレバーユニットをロッド部に取着する取着手段によって共に取着されていると、鍔の形状をグリップに関係なく最適な形状にでき、製造も容易となる。そして、部品点数の削減に寄与し、また外観上も好ましい構成となる。
　【００１１】
　【発明の実施の形態】
　以下、本発明の実施例にかかる刈取機を、図面を参照しながらより具体的に説明する。
図１は刈取機の全体の概略構成を示す斜視図、図２は図１に示す刈取機のスロットルレバーユニットと鍔部が取着されている側のグリップ部分の構成を示す図で、（ａ）は部分平面図、（ｂ）は部分側面図、図３は図１，図２に示す刈取機のスロットルレバーユニットと鍔部が取着されている部分の構成を示す部分拡大斜視図、図４は図１〜３に示すグリップ部分の構成を示す図で、（ａ）は一部断面した断面図、（ｂ）は（ａ）のＩ−Ｉ矢視図、（ｃ）は（ａ）のＩＩ−ＩＩ矢視図、図５は図４の鍔部単体の構成を示す図で、（ａ）は平面図、（ｂ）は側断面図、（ｃ）は（ｂ）のＩＩＩ−ＩＩＩ矢視図である。
　【００１２】
　まず、図１に基づいてこの刈取機の基本的構成を説明する。刈取機Ａは、原動部であるエンジン２０と、ロッド部２２と、衝撃発生部２４と、切断刃２６と、エンジン２０の下方に位置する燃料タンク２１を有する。
　【００１３】
　上記原動部はこの実施例ではエンジン２０で構成されているが、電動モータ等により構成されてもよい。この実施例の場合、上記エンジン２０は単気筒の２サイクルエンジンによって構成されており、回転駆動力を発生させる。
　【００１４】
　上記ロッド部２２は、上記エンジン２０と衝撃発生部２４とを連結している。このロッド部２２は中空管（パイプ）で構成されており、その内部を動力（この実施例では回転力）を伝達するドライブシャフト２３（図１において一点鎖線で一部を図示）が貫通している。上記エンジン２０が発生する回転駆動力は、上記ドライブシャフト２３によって、衝撃発生部２４に伝達される。そして、このロッド部２２は、先端に配設される切断刃２６までの寸法が椰子の実に届く長さになるよう、適宜長さのもの、具体的にはこの実施例の場合約２．５ｍの長さを有する。
　【００１５】
　上記衝撃発生部２４は、図示しないエキセントリック機構（偏芯機構）を備えて、エンジン２０で発生した回転駆動力を、この刈取機Ａの長手方向（図１の矢印Ｘ方向参照）と一致する方向の、連続衝打力に変換する。
　【００１６】
　上記切断刃２６は、シャンク部２６Ａに、先方に刃が向くよう板状刃部２６Ｂが溶接されることによって、平のみ状に構成されている。そして、上記シャンク部２６Ａは、衝撃発生部２４の先端方に向かって開口している切断刃取付部２４ａの穴（図示せず）に挿着される。このシャンク部２６Ａは、この切断刃取付部２４ａの穴側に対して、該刈取機Ａの長手方向に所定ストローク量だけ往復動作できるように挿着される。従って、シャンク部２６Ａの後端面は、衝撃発生部２４で発生した衝打力によって周期的に先端方に衝打される。
　【００１７】
　また、この刈取機Ａのロッド部２２には、基端側の第１グリップ部２２Ａと、そこから先端側に離間した第２グリップ部２２Ｂとが設けられており、第１グリップ部２２Ａに隣接してその先端方にスロットルレバーユニット２８が取り付けられている。このスロットルレバーユニット２８はスロットルレバー２８Ａを有する。このスロットルレバー２８Ａはエンジン２０のキャブレターのスロットルに操作用ケーブルＷを介して接続されており、該エンジン２０の回転数をアイドリング状態から所望の適宜回転数まで制御することが可能となっている。上記エンジン２０と、ロッド部２２を貫通するドライブシャフト２３とは、所定回転数（例えば，４０００ｒｐｍ）以上で動力を伝達する遠心クラッチ（図示せず）を介して、結合されている。従って、上記スロットルレバー２８Ａを操作しない状態では、図示しないキャブレターの復帰バネによってスロットルが絞られ、エンジン２０がアイドリング運転状態となって、遠心クラッチが「断」状態になる。このため、エンジン２０の回転駆動力は衝撃発生部２４には伝達されない。
一方、スロットルレバー２８Ａを上記復帰バネに抗して握ってゆくと、その操作量に応じてスロットルが開いてゆき、次第にエンジン２０の回転数が増加する。その結果、遠心クラッチが繋がり、上記ドライブシャフト２３を介して、衝撃発生部２４が切断刃２６のシャンク部２６Ａに対して、周期的な衝打を始める。さらにスロットルレバー２８Ａの操作量を大きくすると、エンジン２０の回転数がさらに増加して衝打の周期が短く、つまり高い頻度で打撃する。尚、スロットルレバー２８Ａは、適当な位置でスロットル開度を固定できるよう構成されていても良いことは勿論である。
また、上記エンジン２０は、該エンジン２０の先端２０ａ方から基端２０ｂ方に延びる３本のパイプ３１（３１Ａ，３１Ｂ，３１Ｃ）からなるガード構造によってガードされている。このうち、第１のパイプ３１Ａは、エンジン２０の上方をガードするように逆Ｕ字状に配置され、後の第２，第３のパイプ３１Ｂ，３１Ｃは下方の左右をそれぞれガードするようＵ字状に配置されている。つまり、下方に配置されている上記第２，第３のパイプ３１Ｂ，３１Ｃは、図２に図示するように、この刈取機Ａを下方から支持するような略「ハ」の字状に配置されている。また、上記上方のパイプ３１Ａは、エンジン２０の幅方向中央を通るように、且つエンジン２０との間に空間Ｓが形成されるように隙間をあけて配置されている。この空間Ｓは、作業者が手でこのパイプ３１Ａを握った状態で、作業者の手とエンジン２０との間にさらに隙間が形成できる程度になっている。
さらに、上記パイプ３１Ａ，３１Ｂ，３１Ｃの後端に取着される取付金具３４の基端面３４ｂには、パイプからなる棒状部材３３が、エンジン２０の背面視において該エンジン２０のほぼクランク軸の延長線方向に延設されている。
上記ロッド部２２の先端部、つまり上記衝撃発生部２４の基端方に隣接した部位には、図１に図示するように、該ロッド部２２の長手方向に直交する方向に延びるガード部材３４がロッド部２２の長手方向に移動調整可能に且つその調整した位置でボルト止め可能に配設されている。
　【００１８】
　次に、この刈取機Ａの概略の使用方法を図６に基づいて説明する。図６は、刈取機で油椰子の実や葉を切り落とすときの様子を示している。
作業者は、刈り取り作業に際し、刈取機Ａの第１グリップ部２２Ａを一方の手で、第２グリップ部２２Ｂをもう一方の手で握って刈取機Ａを保持する。第１グリップ部２２Ａを握っている方の手は、該第１グリップ部２２Ａを握りつつ指（例えば人指し指）で上記スロットルレバー２８Ａを操作する。そして、図６に図示するように、切断刃２６の刃先２６ａを油椰子の実の付け根部分や葉の芯部分に押し当てながら、スロットルレバー２８Ａを操作して衝打状態（衝打周期）を調整しつつ、先端方への衝打力によって実や葉を切り落とす。
また、上述のように構成されたガード構造によると、地面が乾燥している状態では、上記第２及び第３のパイプ３１Ｂ，３１Ｃが下になるように地面に置くと、この刈取機Ａの重心が上記パイプ３１Ｂ，３１Ｃの中間の位置に位置し、刈取機Ａを安定した状態で地面に置くことができる。そして、この状態から、上記エンジン２０の上方に位置する上記第１のパイプ３１Ａを手で持つことによって、この刈取機Ａを簡単に持ち上げ、搬送することができる。
また、地面に立てて一時的に地面に置くことができ、作業者が休憩する場合には、便利な構成となる。
また、油椰子の木から、図６に図示するように、油椰子あるいはその葉を刈り取る際には、椰子の葉や実は切断されて落下するが、上記ガード部材３４によって、エンジン２０あるいは作業者に向かって落下するのを防止するのに役立つ。
　【００１９】
　ところで、この刈取機Ａは、以下のように構成されているスロットルレバー装置を具備する。即ち、図２に拡大して図示するように、上記第１グリップ部２２Ａとその先端方に配設されている上記スロットルレバーユニット２８の間には、ゴム製の鍔部２が位置するよう構成されている。具体的には、図４に図示するように、上記ロッド部２２の外周方に配設される鍔部２は、筒状の基部２Ａの略中央位置に外径側に延びる一部が切り欠かれた円板部２Ｂが一体に形成され、該円板部２Ｂの先端側（図４（ａ）において左端側）には、図４（ａ），図５（ａ），（ｂ）に図示するように、外径がやや細くなったバンド取着部２Ｃが形成されている。また、バンド取着部２Ｃの先端側では、該バンド取着部２Ｃに取着される上記スロットルレバーユニット２８固定用のバンド金具３（図４参照）が先端方にずり落ちないように、やや外径が相対的に太径になった部位が形成される。また、上記円板部２Ｂの第１グリップ２２Ａ側である基端側（図３（ａ），図４（ａ）において右端側）の部分は、円板部２Ｂの外周から二次曲線的に徐々に外径が細くなるよう構成されている。詳述すると、本実施例の場合、円板部２Ｂの第１グリップ２２Ａ側の側面かさ見た形状は、筒状の基部２Ａから外径方へ延びる円弧部分２ｆと、該円弧部分２ｆからさらに外径方へ延び外周を形成する円弧へつながる平面部２ｇから、構成されている。つまり、第１グリップ部２２Ａを握った指（例えば、親指と人指し指）の側面がピッタリ沿うような形状に構成されている。また、この鍔部２の基端の外径（鍔部２の第１グリップ２２Ａ側の基部２Ａの外径）は、図４（ａ）に図示するように、第１グリップ部２２Ａの外径と略等しくなるよう構成されている。この実施例にかかる鍔部２の場合、上記円板部２Ｂからバンド取着部２Ｃ，さらに先端方にかけて、バンド金具３で緊締したときに、鍔部２が収縮し易くするための、ロッド部２２の長手方向に沿ったスリット２Ｅが形成されている。
そして、図４に拡大して図示するように、上記鍔部２のバンド取着部２Ｃには、取着用のバンド金具３が取着され、このバンド金具３を介して、スロットルレバーユニット２８および上記鍔部２がロッド部２２に取着される。この取着は、上記円板部２Ｂの一部切り欠かれた部位２ｂ（図５（ｃ），（ｄ）参照）に、スロットルレバーユニット２８の取着部２８Ｃが位置するような状態で取着される。上記バンド金具３は、図４の各図に図示するように、両端部をねじ３Ｆで締め付けることによって、ロッド部２２側に確実に且つ強固に固定できるよう構成されている。
そして、このように取着されたスロットルレバーユニット２８のスロットルレバー２８Ａは、図２，図３あるいは図４（ａ）に図示するように、その自由端部が、上記第１グリップ部２２Ａの外周方に突出した状態となる。
また、上記スロットルレバー２８Ａは、公知のものと同様に、枢支軸２８ａを中心に矢印Ｒ（図３，図４（ａ）参照）で図示する方向に揺動するよう構成され、このスロットルレバー２８Ａの枢支軸２８ａを隔てて反対側の部位、つまりロッド部２２よりの部位には、操作用ケーブルＷの一端が取着され、上記矢印Ｒで図示する方向の揺動によって、その長手方向に操作できるようになっている。
また、上記操作用ケーブルＷは、図４（ａ）に図示するように、上記第１グリップ部２２Ａとロッド部２２との間を挿通するよう構成されている。つまり、第１グリップ部２２Ａを把持した手と直接操作用ケーブルＷが干渉しないよう内部に配置されている。
　【００２０】
　しかして、このように構成されたスロットルレバー装置を備えた刈取機Ａによると、木に成っている油椰子の実等の対象物を刈り取る際には、上述のように、刈取機Ａの第１グリップ部２２Ａを一方の手で、第２グリップ部２２Ｂをもう一方の手で握って刈取機Ａを支えるが、このとき、第１グリップ部２２Ａを支えている手の指（例えば親指と人指し指）の側面は、上記鍔部２にピッタリと且つ弾性をもって当接しているため、先端方に向かって刈取機Ａを対象物に向かって強く押し出すことが容易となる。また、鍔部２によって、手が先端方に滑ることもない。また、上記スロットルレバーユニット２８のバンド金具３等に指の側面が当接して、痛みを生じさせるようなこともない。
また、このように第１グリップ部２２Ａを把持した手の指（例えば人指し指）を、上記スロットルレバー２８Ａに掛けて、エンジン２０の回転数を操作制御することができる。そして、この操作において、鍔部２によって手の先端方の位置が先端方に滑ることなく保持されているため、安定した操作が可能となる。
また、刈取機Ａを切断刃２６が上端になるよう直立して把持する際にも、上記鍔部２が第１グリップ部２２Ａを把持している手にピッタリ沿った状態となっているため、安定して且つ感覚的に軽く保持することができる。
　【００２１】
　また、上記実施例では、鍔部２を第１グリップ部２２Ａの先端にのみ配置したが、第２グリップ部２２Ｂの先端にも配置してもよい。
　【００２２】
　さらに、上記鍔部と第１グリップ部を一体に成形してもよく、この場合には部品点数を低減することが可能となる。
　【００２３】
　また、上記鍔部２は、材質的には、この実施例の場合「ＮＢＲ（ニトリル・ブタジエン・ゴム）」で構成されているが、他の種類のゴム、例えば「ＥＰＤＭ（エチレン・プロピレン・ゴム）」であってもよく、あるいはゴム以外の他の弾性材料であってもよい。あるいは、手（指の側面）への当接時の固さを我慢するならば、上記形状を具備するものであれば、弾性材料以外の材質のものであってもよい。
　【００２４】
　また、この実施例は、主として、油椰子の実を採る場合について、説明したが、他の種類の椰子あるいはその他の木の実や枝葉を採取するのにも使用できることは言うまでもない。
　【００２５】
　【発明の効果】
　本発明にかかる刈取機によれば、往復動の衝打により木の実や枝葉を刈り取る刈取機を対象物に押しつけながら保持して原動部を操作することができ、またその際、指の側面が金具等が当接して痛みを生じさせるようなこともない。
【図面の簡単な説明】
　【図１】　刈取機の全体の概略構成を示す斜視図である。
　【図２】　図１に示す刈取機のスロットルレバーユニットと鍔部が取着されている側のグリップ部分の構成を示す図で、（ａ）は部分平面図、（ｂ）は部分側面図である。
　【図３】　図１，図２に示す刈取機のスロットルレバーユユットと鍔部が取着されている部分の構成を示す部分拡大斜視図である。
　【図４】　図１〜３に示すグリップ部分の構成を示す図で、（ａ）は一部断面した断面図、（ｂ）は（ａ）のＩ−Ｉ矢視図、（ｃ）は（ａ）のＩＩ−ＩＩ矢視図である。
　【図５】　図４の鍔部単体の構成を示す図で、（ａ）は平面図、（ｂ）は側断面図、（ｃ）は（ｂ）のＩＩＩ−ＩＩＩ矢視図である。
　【図６】　刈取機を使って木の上に成っている椰子の実を採る状態を示す斜視図である。
　【符号の説明】
　　　Ａ……刈取機
　　　２……鍔部
　　２０……エンジン（原動部）
　　２２……ロッド部
　２２Ａ……第１グリップ部
　２２Ｂ……第２グリップ部
　　２４……衝撃発生部
　　２６……切断刃
　　２８……スロットルレバーユニット